(57)【特許請求の範囲】
【請求項１】
子機と通信する中継用無線機が接続され、該中継用無線機から受信信号を入力するとともに、前記子機に送信する送信用信号を前記中継用無線機に出力する無線機インタフェースと、
該無線機インタフェースに接続された信号処理部と、
データ通信網であるネットワークに接続され、該ネットワークに接続されている他のネットワーク機器との間でパケットの送受信を行うネットワークインタフェースと、
該ネットワークインタフェースに接続されたパケット処理部と、
前記信号処理部と前記パケット処理部との間に設けられたミキシング部と、
を備えた中継装置であって、
前記信号処理部は、前記無線機インタフェースから入力された受信信号をアップリンク音声信号として出力し、
前記パケット処理部は、前記アップリンク音声信号をパケット化して前記ネットワークインタフェースに出力し、
前記パケット処理部は、前記ネットワークインタフェースから入力されたパケットから音声信号を読み出し、この音声信号をダウンリンク音声信号として出力し、
前記ミキシング部のコールバック機能をオン／オフする手段を更に備え、
前記ミキシング部は、前記コールバック機能がオフされているとき、前記ダウンリンク音声信号を前記信号処理部に入力し、前記コールバック機能がオンされているとき、前記ダウンリンク音声信号および前記アップリンク音声信号をミキシングした信号を前記信号処理部に入力し、
前記信号処理部は、前記ミキシング部から入力された前記ダウンリンク信号、または、前記ダウンリンク音声信号および前記アップリンク音声信号をミキシングした信号を送信用信号として前記無線機インタフェースに出力する
中継装置。
【請求項２】
前記無線機インタフェース、前記信号処理部、および、前記パケット処理部を含む通信系統を複数備え、
前記ミキシング部は、前記アップリンク音声信号とともに、他の通信系統のアップリンク音声信号またはダウンリンク音声信号を前記パケット処理部に入力し、さらに、前記ダウンリンク音声信号とともに、前記他の通信系統のアップリンク音声信号またはダウンリンク音声信号を前記信号処理部に入力する
請求項１に記載の中継装置。
【請求項３】
前記複数系統の複数の無線機インタフェースは、アナログ無線機インタフェースおよびデジタル無線機インタフェースの両方を含む請求項２に記載の中継装置。
【請求項４】
前記複数系統の複数の無線機インタフェースには、半二重の中継用無線機または全二重の中継用無線機がそれぞれ接続される請求項２に記載の中継装置。
【請求項５】
子機と通信する中継用無線機が接続され、該中継用無線機から受信信号を入力するとともに、前記子機に送信する送信用信号を前記中継用無線機に出力する無線機インタフェースと、該無線機インタフェースに接続された信号処理部と、データ通信網であるネットワークに接続され、該ネットワークに接続されている他のネットワーク機器との間でパケットの送受信を行うネットワークインタフェースと、該ネットワークインタフェースに接続されたパケット処理部と、前記信号処理部と前記パケット処理部との間に設けられたミキシング部と、を備え、
前記ミキシング部のコールバック機能をオン／オフする手段を更に備え、
前記信号処理部は、前記無線機インタフェースから入力された受信信号をアップリンク音声信号として出力し、前記パケット処理部は、前記アップリンク音声信号をパケット化して前記ネットワークインタフェースに出力し、前記パケット処理部は、前記ネットワークインタフェースから入力されたパケットから音声信号を読み出し、この音声信号をダウンリンク音声信号として出力し、前記ミキシング部は、前記コールバック機能がオフされているとき、前記ダウンリンク音声信号を前記信号処理部に入力し、前記コールバック機能がオンされているとき、前記ダウンリンク音声信号および前記アップリンク音声信号をミキシングした信号を前記信号処理部に入力し、前記信号処理部は、前記ミキシング部から入力された前記ダウンリンク信号、または、前記ダウンリンク音声信号および前記アップリンク音声信号をミキシングした信号を送信用信号として前記無線機インタフェースに出力する中継装置と、
前記無線機インタフェースに接続された中継用無線機と、
複数台の子機と、を有し、
前記子機は、第１周波数で音声信号を送信し、第２周波数で音声信号を受信する半二重方式の無線通信機であり、
前記中継用無線機は、第１周波数で音声信号を受信したとき、この音声信号を前記無線機インタフェースに出力し、前記無線機インタフェースから前記ダウンリンク音声信号が入力されたとき、この音声信号を第２周波数で送信する
通信システム。
【請求項６】
子機と通信する中継用無線機が接続され、該中継用無線機が受信した受信信号を入力するとともに、前記子機に送信する送信用信号を前記中継用無線機に出力する無線機インタフェースと、データ通信網であるネットワークに接続され、該ネットワークに接続されている他のネットワーク機器との間でパケットの送受信を行うネットワークインタフェースと、の間で音声信号を中継する方法であって、
前記ネットワークインタフェースから入力された音声パケットから読み出した音声信号をダウンリンク音声信号として前記無線機インタフェースに入力し、
コールバック機能がオンされているとき、
前記無線機インタフェースから入力された受信信号を、パケット化して前記ネットワークインタフェースから出力するとともに、前記無線機インタフェースにアップリンク音声信号として再度入力し、
前記無線機インタフェースは、入力された前記アップリンク音声信号およびダウンリンク音声信号を送信用信号として中継用無線機に出力し、
コールバック機能がオフされているとき、
前記無線機インタフェースから入力された受信信号を、パケット化して前記ネットワークインタフェースから出力し、
前記無線機インタフェースは、入力された前記ダウンリンク音声信号を送信用信号として中継用無線機に出力する、
音声信号の中継方法。
【発明の詳細な説明】
【技術分野】
【０００１】
この発明は、無線通信機とネットワーク上の機器との通信を中継する中継装置に関する。
【背景技術】
【０００２】
トランシーバなどの無線通信機とネットワークとを中継し、トランシーバとＳＩＰ機器、または、互いに電波の届かない通信エリアにある複数のトランシーバ同士の通信を可能にした中継装置および通信システムが提案されている（たとえば特許文献１参照）。
【先行技術文献】
【特許文献】
【０００３】
【特許文献１】特開２０１１−１３５２９１号公報
【発明の概要】
【発明が解決しようとする課題】
【０００４】
特許文献１のシステムでは、トランシーバと中継用通信器であるレピータとの通信は、送信と受信とを異なる周波数で行うため、レピータ（中継装置）の配下に複数のトランシーバが存在する場合、それらは直接通信することができず、ネットワークからの呼び出しに、一台のトランシーバが応答しても他のトランシーバではその応答の音声を聴くことができなかった。【０００５】
この発明は、配下に複数のトランシーバ（子機）が存在する場合に、一台の応答音声を他のトランシーバが聴くことができるようにした中継装置、通信システムおよび音声信号の中継方法を提供することを目的とする。
【課題を解決するための手段】
【０００６】
本発明の中継装置は、子機と通信する中継用無線機（レピータ）が接続される無線機インタフェースと、無線機インタフェースに接続された信号処理部と、データ通信網であるネットワークに接続されるネットワークインタフェースと、ネットワークインタフェースに接続されたパケット処理部と、信号処理部とパケット処理部との間に設けられたミキシング部と、を備えている。無線機インタフェースは、中継用無線機から受信信号を入力するとともに、子機に送信する送信用信号を前記中継用無線機に出力する。ネットワークインタフェースは、他のネットワーク機器との間でパケットの送受信を行う。信号処理部は、無線機インタフェースから入力された受信信号をアップリンク音声信号としてパケット処理部に向けて出力する。パケット処理部は、このアップリンク音声信号をパケット化してネットワークインタフェースに出力する。また、パケット処理部は、ネットワークインタフェースから入力されたパケットから音声信号を読み出し、この音声信号をダウンリンク音声信号として出力する。
ミキシング部のコールバック機能をオン／オフする手段を更に備え、ミキシング部は、コールバック機能がオフされているとき、ダウンリンク音声信号を信号処理部に入力し、コールバック機能がオンされているとき、ダウンリンク音声信号およびアップリンク音声信号をミキシングした信号を信号処理部に入力する。信号処理部は、ミキシング部から入力されたダウンリンク信号、または、ダウンリンク音声信号およびアップリンク音声信号をミキシングした信号を送信用信号として無線機インタフェースに出力する。
【０００７】
本発明において、無線機インタフェース、信号処理部、および、パケット処理部を含む通信系統を複数備えてもよい。ミキシング部は、アップリンク音声信号とともに、他の通信系統のアップリンク音声信号またはダウンリンク音声信号をパケット処理部に入力する。ミキシング部は、ダウンリンク音声信号とともに、他の通信系統のアップリンク音声信号またはダウンリンク音声信号を信号処理部に入力する。【０００８】
複数系統の複数の無線機インタフェースは、アナログ無線機インタフェースおよびデジタル無線機インタフェースの両方を含んでいてもよい。また、複数系統の複数の無線機インタフェースには、半二重の中継用無線機または全二重の中継用無線機がそれぞれ混ざって接続されていてもよい。【０００９】
本発明の通信システムは、上記中継装置と、無線機インタフェースに接続された中継用無線機と、複数台の子機を有する。子機は、第１周波数で音声信号を送信し、第２周波数で音声信号を受信する半二重方式の無線通信機である。中継用無線機は、第１周波数で音声信号を受信したとき、この音声信号を無線機インタフェースに出力し、無線機インタフェースからダウンリンク音声信号が入力されたとき、この音声信号を第２周波数で送信する。【００１０】
本発明の音声信号の中継方法は、無線機インタフェースとネットワークインタフェースとの間で音声信号を中継する。無線機インタフェースは、子機と通信する中継用無線機が接続され、中継用無線機が受信した受信信号を入力するとともに、子機に送信する送信用信号を中継用無線機に出力する。ネットワークインタフェースは、データ通信網であるネットワークに接続され、ネットワークに接続されている他のネットワーク機器との間でパケットの送受信を行う。
ネットワークインタフェースから入力された音声パケットから読み出した音声信号をダウンリンク音声信号として無線機インタフェースに入力する。
コールバック機能がオンされているとき、無線機インタフェースから入力された受信信号を、パケット化してネットワークインタフェースから出力するとともに、無線機インタフェースにアップリンク音声信号として再度入力する。無線機インタフェースは、入力された前記アップリンク音声信号およびダウンリンク音声信号を送信用信号として中継用無線機に出力する。
コールバック機能がオフされているとき、無線機インタフェースから入力された受信信号を、パケット化してネットワークインタフェースから出力し、無線機インタフェースは、入力されたダウンリンク音声信号を送信用信号として中継用無線機に出力する。
【発明の効果】
【００１１】
この発明によれば、１台の中継用無線機の配下に複数の子機が存在する形態で、１台の子機がネットワークからの音声信号に対して応答した場合でも、他の子機がこの応答の音声を聴くことができ、通話に参加していない子機が、ネットワークと通話中の子機との通話内容を知ることができる。
【図面の簡単な説明】
【００１２】
【図１】この発明の実施形態である通信システムの構成図である。
【図２】通信システムの中継装置のブロック図である。
【図３Ａ】中継装置のミキシング機能およびコールバック機能がオフされているときの信号処理部、ミキシング部およびパケット処理部の構成を示す図である。
【図３Ｂ】中継装置のミキシング機能およびコールバック機能がオフされているときの信号処理部、ミキシング部およびパケット処理部の構成を示す図である。
【図４Ａ】中継装置のミキシング機能がオンされ、コールバック機能がオフされているときの信号処理部、ミキシング部およびパケット処理部の構成を示す図である。
【図４Ｂ】中継装置のミキシング機能がオンされ、コールバック機能がオフされているときの信号処理部、ミキシング部およびパケット処理部の構成を示す図である。
【図５Ａ】中継装置のミキシング機能がオフされ、コールバック機能がオンされているときの信号処理部、ミキシング部およびパケット処理部の構成を示す図である。
【図５Ｂ】中継装置のミキシング機能がオフされ、コールバック機能がオンされているときの信号処理部、ミキシング部およびパケット処理部の構成を示す図である。
【図６Ａ】中継装置のミキシング機能およびコールバック機能がオンされているときの信号処理部、ミキシング部およびパケット処理部の構成を示す図である。
【図６Ｂ】中継装置のミキシング機能およびコールバック機能がオンされているときの信号処理部、ミキシング部およびパケット処理部の構成を示す図である。
【発明を実施するための形態】
【００１３】
図面を参照してこの発明の実施形態である中継装置および通信システムについて説明する。図１は、この発明の実施形態である通信システム１０の構成図である。図２は、この発明の実施形態である中継装置２のブロック図である。また、図３は、中継装置２の信号処理部２１、ミキシング部２２およびパケット処理部２３の構成を示す図である。
【００１４】
中継装置２は、ユーザが用いるトランシーバ４（４０，４１，４２，４３）をネットワーク１を介して接続される他の機器と通信できるように中継する。たとえば、中継装置２は、図中のトランシーバ４０と他の通信システム１０−２の中継装置２−２の配下にある他のトランシーバ４−２との間の通信を中継する。トランシーバ４の相手として中継される装置は、トランシーバ４−２に限定されず、たとえばＩＰ電話機などのＳＩＰ機器であってもよい。
【００１５】
中継装置２は、図２に示すように、１つのネットワークインタフェース２４と複数の無線機インタフェース２０（２０１，２０２，２０３，２０４）を有している。無線機インタフェース２０１，２０２は、アナログ無線機インタフェースであり、それぞれ半二重の中継用トランシーバ（以下、「レピータ」と呼ぶ）３１、全二重のレピータ３２が接続される。半二重のレピータ３１は、ユーザが用いる同じく半二重のトランシーバ４０，４１と通信する。全二重のレピータ３２は、ユーザが用いる同じく全二重のトランシーバ４２と通信する。なお、ユーザが用いるトランシーバ４は、主としてハンディトランシーバであるが、ハンディトランシーバ以外のトランシーバ（例えば据置型トランシーバ）であってもよい。
【００１６】
半二重のトランシーバとは、送信モード／受信モードのいずれかに適宜切り換え可能なトランシーバである。半二重トランシーバは、プッシュ・トゥ・トーク（Ｐｕｓｈ  ｔｏ  Ｔａｌｋ：ＰＴＴ）スイッチやＶＯＸ回路を備え、通常は受信モードで動作しており、ＰＴＴスイッチがオンされたとき、ＶＯＸ回路によりユーザの音声を検出したとき、または、外部からＰＴＴ信号が入力されたとき送信モードに切り換わる。レピータ３１およびトランシーバ４０，４１は、送信周波数と受信周波数が異なるいわゆるレピータモードで動作する。レピータ３１が、第２周波数で送信し、第１周波数で受信するよう設定されている場合、トランシーバ４０，４１は、第１周波数で送信し、第２周波数で受信するよう設定される。したがって、トランシーバ４０とトランシーバ４１とは、直接通信することができない。すなわち、トランシーバ４０が、レピータ３１からの呼び出しに対して応答した場合、この応答の音声信号をトランシーバ４１は直接受信することができない。
【００１７】
また、全二重のトランシーバとは、送信回路、受信回路を異なるチャンネル（周波数）で並行して動作させることにより、送信と受信を並行して行えるようにされたトランシーバである。このように、半二重のトランシーバと全二重のトランシーバは通信方式が異なるため、無線で相互に通信することはできない。
【００１８】
無線機インタフェース２０３は、デジタル無線機インタフェースであり、デジタルのレピータ３３が接続される。デジタルのレピータ３３は、ユーザが用いるデジタルのトランシーバ４３と通信する。デジタルトランシーバ４３は、音声信号をデジタル化し、ＰＳＫ（位相偏位変調）などの変調方式で送信または受信するトランシーバである。当然、アナログ方式のトランシーバとは相互に無線通信することはできない。無線機インタフェース２０４は、オーディオ入出力端子であり、無線機ではないが呼出装置５が接続される（無線機を接続することも可能である）。呼出装置５は、マイク５１およびスピーカ５２を備え、直接オペレータによって操作される。
【００１９】
各無線機インタフェース２０を介してトランシーバ４や呼出装置５から入力された音声信号は、信号処理部２１、ミキシング部２２、パケット処理部２３によってＲＴＰパケットに変換され、ネットワークインタフェース２４からネットワーク１に送出される。また、ネットワークインタフェース２４は、ネットワーク１上の通信相手からＲＴＰパケットを受信する。ネットワークインタフェース２４によって受信されたＲＴＰパケットは、パケット処理部２３、ミキシング部２２、信号処理部２１によって音声信号に変換され、各無線機インタフェース２０に入力される。
【００２０】
ネットワーク１には、通信システム１０の他に、１または複数の通信システム１０−２が接続されており、各通信システム１０，１０−２の中継装置２，２−２同士が相互に通信し、トランシーバ４，４−２の音声通話信号を乗せたＲＴＰ（Real-time Transport Protocol）パケットを交換する。ネットワーク１は、たとえばＥｔｈｅｒｎｅｔ（登録商標）で構成されるＬＡＮやインターネットが適用可能である。
【００２１】
なお、この実施形態では、無線機インタフェース２０をアナログ無線機インタフェース２０１，２０２、デジタル無線機インタフェース２０３、および、オーディオ入出力端子２０４の４系統設けているが、無線機インタフェース２０の数は任意である。また、アナログ無線機インタフェース、デジタル無線機インタフェース、オーディオ入出力端子のそれぞれの数の組み合わせも任意である。たとえば、アナログ無線機インタフェースを２系統、デジタル無線機インタフェースを４系統、オーディオ入出力端子を２系統設けてもよい。
【００２２】
信号処理部２１は、４つの無線機インタフェース２０１，２０２，２０３，２０４に対応づけられた信号処理部２１１，２１２，２１３，２１４を有している。ミキシング部２２は、４つの無線機インタフェース２０１，２０２，２０３，２０４に対応づけられたミキシング部２２１，２２２，２２３，２２４を有している。また、パケット処理部２３も、４つの無線機インタフェース２０１，２０２，２０３，２０４に対応づけられたパケット処理部２３１，２３２，２３３，２３４を有している。
【００２３】
信号処理部２１（２１１，２１２，２１３，２１４）は、図３Ａ、図４Ａ、図５Ａおよび図６Ａに示すように、音声通信の音声信号のアナログ／デジタル変換、コーデック処理などの処理を行うとともに、図３Ｂ、図４Ｂ、図５Ｂおよび図６Ｂに示すように、無線機の送信／受信を切り換えるための制御信号の生成および送信を行う。
【００２４】
アナログ無線機インタフェース２０１、アナログ信号処理部２１１、ミキシング部２２１、および、パケット処理部２３１で第１通信系統が構成され、アナログ無線機インタフェース２０２、アナログ信号処理部２１２、ミキシング部２２２、および、パケット処理部２３２で第２通信系統が構成される。デジタル無線機インタフェース２０３、デジタル信号処理部２１３、ミキシング部２２３、および、パケット処理部２３３で第３通信系統が構成される。さらに、オーディオ入出力端子２０４、アナログ信号処理部２１４、ミキシング部２２４、および、パケット処理部２３４で第４通信系統が構成される。
【００２５】
アナログ信号処理部２１１には、アナログ無線機インタフェース２０１を介して、半二重のアナログレピータ３１が接続される。アナログ信号処理部２１１は、レピータ３１から入力されたアナログの音声信号をＲＴＰパケット用のデジタル信号に変換するＡ／Ｄコンバータ２１１１、および、レピータ３１に出力する音声信号をアナログ信号に変換するＤ／Ａコンバータ２１１２を備える。また、アナログ信号処理部２１１は、レピータ３１からスケルチ信号（ＳＱＬ）が入力されたとき、音声信号ありを意味する制御信号（音声検出信号）を発生するＳＱＬ検出部２１１３、および、他の処理部から音声検出信号が入力されたとき、レピータ３１に対してＰＴＴ信号を出力するＰＴＴ処理部２１１４を備える。
【００２６】
アナログ信号処理部２１２には、アナログ無線機インタフェース２０２を介して、全二重のアナログレピータ３２が接続される。アナログ信号処理部２１２は、レピータ３２から入力されたアナログの音声信号をＲＴＰパケット用のデジタル信号に変換するＡ／Ｄコンバータ２１２１、および、レピータ３２に出力する音声信号をアナログ信号に変換するＤ／Ａコンバータ２１２２を備える。また、アナログ信号処理部２１２は、スケルチ信号を発生しない全二重のレピータ３２から音声信号が入力されたことを検出し、音声信号の入力を検出したとき音声検出信号を発生するＶＯＸ検出部２１２３、および、ＰＴＴ信号を常時オンしてＤ／Ａコンバータ２１２２に対して音声信号の出力を常時許可するＰＴＴ処理部２１２４を備える。
【００２７】
デジタル信号処理部２１３には、デジタル無線機インタフェース２０３を介して、（半二重の）レピータ３３が接続される。デジタル信号処理部２１３は、レピータ３３から入力されたデジタルの音声信号をＲＴＰパケット用のデジタル信号に変換する復調部２１３１、および、他の処理部から入力されたＲＴＰパケット用のデジタル信号をレピータ３３に出力する圧縮形式のデジタル音声信号に変換する変調部２１３２を備える。また、デジタル信号処理部２１３は、レピータ３３から音声信号を伝送するパケットが入力されたとき、音声検出信号を発生するパケット検出部２１３３、および、他の処理部から音声検出信号が入力されたとき、レピータ３３に対してＰＴＴ信号を出力するＰＴＴ処理部２１３４を備える。
【００２８】
アナログ信号処理部２１４には、オーディオ入出力端子２０４を介して、呼出装置５が接続される。アナログ信号処理部２１４は、呼出装置５から入力されたアナログの音声信号をＲＴＰパケット用のデジタル信号に変換するＡ／Ｄコンバータ２１４１、および、呼出装置５に出力する音声信号をアナログ信号に変換するＤ／Ａコンバータ２１４２を備える。また、デジタル信号処理部２１４は、マイクから音声信号が入力されたことを検出し、音声検出信号を発生するＶＯＸ検出部２１４３、および、他の処理部から音声検出信号が入力されたとき、マイク５１をオフしてスピーカ５２をオンするリレー処理部２１４４を備える。
【００２９】
パケット処理部２３（２３１，２３２，２３３，２３４）は、音声検出信号が入力されると、そのとき入力されている音声信号に基づきＲＴＰパケットを作成して送信する。また、パケット処理部２３は、ネットワーク１からＲＴＰパケットを受信したとき、音声検出信号を発生するとともに、そのＲＴＰパケットに含まれている音声信号を出力する。パケット処理部２３１，２３２，２３３，２３４は、ネットワークインタフェース２４を介して、それぞれ、予め定められている、または、ユーザによって選択・設定されたネットワーク１上の通信相手との間で、ＲＴＰパケットを送受信する。
【００３０】
上述したように中継装置２は、トランシーバ４と、ネットワー１を介して接続される他の通信システム１０のトランシーバ４−２との通信を中継するための装置であるため、配下（ダウンリンク側）のトランシーバ４（４０，４１，４２，４３）同士の音声信号の交換は考慮されておらず、あるトランシーバ（たとえば４０）がネットワーク１経由でトランシーバ４−２に対して通話（音声信号を送信）しているとき、他のトランシーバ４（４１，４２，４３）からその通話の内容を聴くことができない。そこで、この中継装置２では、ミキシング機能およびコールバック機能を持つミキシング部２２を設けることにで、各トランシーバ４のアップリンクの音声信号を他のトランシーバ４で確認できるようにした。
【００３１】
ミキシング機能およびコールバック機能がオフされているときは、各通信系統は独立して動作し、他の系統の音声信号を入力して自系統の音声信号にミキシングせず、かつ、他の系統の制御信号を入力して自系統の制御信号と論理和しない（図３Ａ、図３Ｂ参照）。また、コールバック機能がオフされているときは、アップリンクとダウンリンクは独立して動作し、自系統のアップリンクの音声信号をダウンリンクの音声信号にミキシングせず、かつ、自系統のアップリンクの制御信号をダウンリンクの制御信号に論理和しない（図３Ａ、図３Ｂ、図４Ａ、図４Ｂ参照）。
【００３２】
ミキシング機能がオフされた状態では、各通信系統は独立して動作し、その通信系統の音声信号が他の通信系統に流れず通信の秘密性を保つことができる。しかし、他の通信系統のトランシーバ４がどのような通信をしているかを知ることができない。複数の通信系統の配下にある複数のトランシーバ４で通信内容を共有したい場合にミキシング機能がオンされる。
【００３３】
また、コールバック機能がオフされた状態では、アップリンクの音声信号がダウンリンクに流れないため、一つの系統の配下に複数のトランシーバ（例えば４０，４１）が存在する場合、一方のトランシーバ（たとえば４０）の通話音声を他方のトランシーバ（たとえば４１）が聴くことができない。一つの通信系統の配下にある複数のトランシーバ４で通信内容を共有したい場合にコールバック機能がオンされる。
【００３４】
図３Ａ〜図６Ｂは、中継装置２の信号処理部２１、ミキシング部２２およびパケット処理部２３の構成を示す図である。図３Ａ、図３Ｂは、ミキシング機能およびコールバック機能がオフされているときの接続形態を示し、図４Ａ、図４Ｂは、ミキシング機能のみがオンされているときの接続形態の一例を示している。また、図５Ａ、図５Ｂは、コールバック機能のみがオンされているときの接続形態の一例を示し、図６Ａ、図６Ｂは、ミキシング機能およびコールバック機能の両方がオンされているとき接続形態の一例を示す図である。
【００３５】
ミキシング機能がオンされると、図４Ａ、図４Ｂ、図６Ａ、図６Ｂに示すように、各通信系統の音声信号および制御信号（音声検出信号）は相互に加算合成されて各系統から出力される。なお、図４Ａ、図４Ｂ、図６Ａ、図６Ｂは、第１通信系統のミキシング部２２１の接続形態のみを示しているが、ミキシング部２２２，２２３，２２４をミキシング部２２１と同様の接続形態とし、第２−第４通信系統でも他の系統の音声信号、制御信号（音声検出信号）をミキシング出力するようにしてもよい。
【００３６】
ミキシング部２２１は、音声信号を加算合成する加算器２２１１，２２１２、および、音声検出信号を論理和する加算器２２１３，２２１４を有している。
【００３７】
加算器２２１１は、Ａ／Ｄコンバータ２１１１，Ａ／Ｄコンバータ２１２１，復調部２１３１，Ａ／Ｄコンバータ２１４１およびＲＴＰパケット読取部２３２２，２３３２，２３４２から入力される音声信号を加算合成する。この音声信号をアップリンクの音声信号としてパケット処理部２３１のＲＴＰパケット作成部２３１１へ入力する。すなわち、音声信号の入力先であるパケット処理部２３１（ＲＴＰパケット読取部２３１２）以外から出力される全ての音声信号を加算合成して上りの音声信号を生成する。
【００３８】
加算器２２１２は、Ａ／Ｄコンバータ２１２１，復調部２１３１，Ａ／Ｄコンバータ２１４１およびＲＴＰパケット読取部２３１２，２３２２，２３３２，２３４２から入力される音声信号を加算合成する。この音声信号をダウンリンクの音声信号として信号処理部２１１のＤ／Ａコンバータ２１１２へ入力する。すなわち、音声信号の入力先である信号処理部２１１（Ａ／Ｄコンバータ２１１１）以外から出力される全ての音声信号を加算合成して上りの音声信号を生成する。
【００３９】
音声検出信号を論理和する加算器２２１３は、ＳＱＬ検出部２１１３，ＶＯＸ検出部２１２３，パケット検出部２１３３，ＶＯＸ検出部２１４３およびＲＴＰパケット受信検出部２３２４，２３３４，２３４４から入力される音声検出信号を論理和する。そして、論理和された音声検出信号をパケット処理部２３１のＲＴＰパケット送信指示部２３１３へ入力する。これにより、上に述べた加算器２２１１によって作成されたアップリンクの音声信号がＲＴＰパケット作成部２３１１からネットワークインタフェース２４に出力される。
【００４０】
加算器２２１４は、ＶＯＸ検出部２１２３，パケット検出部２１３３，ＶＯＸ検出部２１４３およびＲＴＰパケット受信検出部２３１４，２３２４，２３３４，２３４４から入力される音声検出信号を論理和する。そして、論理和された音声検出信号を信号処理部２１１のＰＴＴ処理部２１１４へ入力する。これにより、上に述べた加算器２２１２によって作成されたダウンリンクの音声信号がＤ／Ａコンバータ２１１２から無線機インタフェース２０１を介してレピータ３１に入力され、トランシーバ４１に送信される。
【００４１】
以上のミキシング部２２の処理により、ミキシング対象の全ての系統のアップリンク、ダウンリンクの音声信号が加算合成されて各系統のトランシーバ４に送信されるため、機種の相違を超えた複数台の相互通信が可能になる。
【００４２】
なお、図４Ａ、図４Ｂ、図６Ａ、図６Ｂでは、アップリンク側の加算器２２１１、２２１３、および、ダウンリンク側の加算器２２１２、２２１４の両方を設けているが、アップリンク側の加算器２２１１、２２１３、または、ダウンリンク側の加算器２２１２、２２１４のいずれか一方のみ設けてもよい。また、アップリンク側の加算器２２１１、２２１３で他の通信系統のアップリンクおよびダウンリンクの両方の信号をミキシングしているが、いずれか一方（たとえばアップリンクの信号）のみであってもよい。同様に、ダウンリンク側の加算器２２１２、２２１４で他の通信系統のアップリンクおよびダウンリンクの両方の信号をミキシングしているが、いずれか一方（たとえばアップリンクの信号）のみであってもよい。
【００４３】
なお、中継装置２において、ミキシング機能をオンすると、全ての通信系統がミキシング対象となるようにしてもよいが、どの通信系統をミキシング対象とするかをユーザが選択できるようにしてもよい。
【００４４】
ここで、図２において、信号処理部２１、ミキシング部２２には制御部２５が接続されている。制御部２５には、記憶部２６、表示部２７、操作部２８が接続されている。記憶部２６には、ミキシング機能がオンされたとき、複数の信号処理系統のうち相互にミキシングを行う信号処理系統（ミキシンググループ）の選択情報が記憶されている。ユーザは、表示部２７の表示に基づき、操作部２８を操作してミキシンググループの設定をすることができる。
【００４５】
またさらに、トランシーバ４（４０，４１，４２，４３）から、ＤＴＭＦ信号や５トーン信号などのトーン信号を入力し、このトーン信号によって、ミキシング機能のオン／オフ、ミキシンググループの選択、または、ミキシンググループの設定を行えるようにしてもよい
【００４６】
第１通信系統のコールバック機能がオンされると、図５Ａ、図５Ｂ、図６Ａ、図６Ｂに示すように、加算器２２１５により、アップリンクの音声信号がダウンリンクの信号に加算合成されて信号処理部２１１に供給される。また、加算器２２１６により、アップリンクの制御信号（音声検出信号）がダウンリンクの信号に論理和されて信号処理部２１１に供給される。
【００４７】
詳細に説明すると以下のとおりである。加算器２２１５は、Ａ／Ｄコンバータ２１１１から入力される同じ系統（第１系統）のアップリンクの音声信号をダウンリンクの音声信号にミキシングする。この音声信号を信号処理部２１１のＤ／Ａコンバータ２１１２へ入力する。加算器２２１６は、ＳＱＬ検出部２１１３から入力される音声検出信号をＲＴＰパケット受信検出部２３１４が発生する音声検出信号と論理和する。そして、加算器２２１６は、論理和された音声検出信号を信号処理部２１１のＰＴＴ処理部２１１４へ入力する。これにより、上に述べた加算器２２１５によって作成されたダウンリンクの音声信号がレピータ３１に入力され、トランシーバ４０、４１に送信される。
【００４８】
これにより、ネットワーク１（たとえばトランシーバ４−２）からの呼び出しにトランシーバ４０が、第１周波数で応答した場合、中継装置２のコールバック機能により、この音声信号がレピータ３１により第２周波数で送信されるため、トランシーバ４１もこの音声信号を受信して再生することができる。
【００４９】
なお、図５Ａ、図５Ｂ、図６Ａ、図６Ｂは、第１通信系統のコールバック機能のみ、すなわち、ミキシング部２２１の接続形態のみを示しているが、ミキシング部２２２，２２３，２２４も同様の接続形態とし、アップリンクの音声信号、制御信号（音声検出信号）をダウンリンク側にミキシングしてもよい。なお、トランシーバ４０、４１は、半二重通信方式の通信機であるため、自装置が（第１周波数で）音声信号を送信している間は、第２周波数を受信しないため、エコーやハウリングが発生するおそれはない。
【００５０】
また、コールバック機能についても、ユーザが、表示部２７の表示に基づき、操作部２８を操作してコールバック機能の設定をすることができるようにしてもよい。また、トランシーバ４（４０，４１）から、ＤＴＭＦ信号や５トーン信号などのトーン信号を入力し、このトーン信号によって、コールバック機能のオン／オフの設定を行えるようにしてもよい
【００５１】
この実施形態では、半二重のトランシーバ４０，４１についてコールバック機能を適用する例について説明したが、本発明のコールバック機能は、全二重（フルデュープレックス）方式のトランシーバに対しても適用可能である。
【符号の説明】
【００５２】
１  ネットワーク
２  中継装置
３（３１，３２，３３）  中継用トランシーバ（レピータ）
４（４０，４１，４２，４３）  （ユーザ用の）トランシーバ（子機）
１０  通信システム
２０  無線機インタフェース
２１  信号処理部
２２  ミキシング部
２３  パケット処理部
２４  ネットワークインタフェース
２２１５，２２１６  加算部
【図１】
0006583270.tif 000002
【図２】
0006583270.tif 000003
【図３Ａ】
0006583270.tif 000004
【図３Ｂ】
0006583270.tif 000005
【図４Ａ】
0006583270.tif 000006
【図４Ｂ】
0006583270.tif 000007
【図５Ａ】
0006583270.tif 000008
【図５Ｂ】
0006583270.tif 000009
【図６Ａ】
0006583270.tif 000010
【図６Ｂ】
0006583270.tif 000011